(57)【要約】【課題】プラグイン式の分岐ブレーカを１つのみ外して配設することができ、かつ、雷サージ保護が十分に行える分電盤用避雷器を提供する。【解決手段】導電バーに差込接続されるプラグイン式の分岐ブレーカに対して導電バーの延出方向に横並びに配設される分電盤用避雷器であって、分岐ブレーカの幅寸法よりも大きい幅寸法に形成された器体１と、この器体１の幅方向における一端からの寸法Ｂが分岐ブレーカの幅寸法ａに対応する第１位置までに配設されて導電バーに差込接続される受刃２とを備えている。器体１の幅方向における一端から第１位置までの上面に、分岐ブレーカのハンドル凸部とともに分電盤カバーに形成された窓孔に臨む突出部３を設けている。【選択図】　　図１
2004023888.tif 000002
【特許請求の範囲】
【請求項１】
導電バーに差込接続されるプラグイン式の分岐ブレーカに対して前記導電バーの延出方向で前記分岐ブレーカに横並びに配設される分電盤用避雷器であって、
前記分岐ブレーカの幅寸法よりも大きい幅寸法に形成された器体と、この器体の幅方向における一端からの寸法が前記分岐ブレーカの幅寸法に対応する幅寸法対応位置までに配設されて前記導電バーに差込接続される受刃と、を備えたことを特徴とする分電盤用避雷器。
【請求項２】
前記器体の幅方向における一端から幅寸法対応位置までの上面に、前記分岐ブレーカのハンドル凸部とともに分電盤カバーに形成された窓孔に臨む突出部を設け、前記器体の他端から幅寸法対応位置までの上面を前記突出部よりも下段とした請求項１記載の分電盤用避雷器。
【請求項３】
前記導電バーはその延出方向の少なくとも一方側に接続用螺子を有するものであり、前記器体の幅方向における他端から前記幅寸法対応位置までの前記導電バー差込先端側の部分を、前記受刃が前記導電バーに差込接続された状態で前記接続用螺子を避ける形で凹ました請求項１または請求項２記載の分電盤用避雷器。
【発明の詳細な説明】
【０００１】
【発明の属する技術分野】
本発明は、分岐ブレーカの横並びで分電盤内に配設される分電盤用避雷器に関するものである。
【０００２】
【従来の技術】
この種の分電盤用避雷器として、特開平１０−２５７６１７号に示すものが存在する。このものは、分岐ブレーカの幅寸法（この分岐ブレーカは３２ｍｍ）の２倍の幅寸法（すなわち６４ｍｍ）を有する器体内にサージ吸収素子やヒューズ等を配設し、器体の上面に発光素子を露見させたものであり、分電盤内の分岐ブレーカを２つ外して分岐ブレーカの横並びに配設される。
【０００３】
【発明が解決しようとする課題】
近年、住宅用の分電盤にあっては、小型化のため、従来の分岐ブレーカの幅寸法（３２ｍｍ）よりも小さな幅寸法（１６ｍｍ〜２０ｍｍ位）のプラグイン式の分岐ブレーカが用いられつつある（例えば、特開２００１−１５７３２１号）。
【０００４】
この状況にあって、幅寸法が６４ｍｍの従来の分電盤用避雷器では分岐ブレーカと比べて余りにも幅寸法が大きいため、分岐回路数が相当数少なくなってしまうという問題があり、また、分電盤用避雷器がプラグイン式ではないため、分岐ブレーカの横並びに配設することができないという問題があった。
【０００５】
そこで、本出願人は、プラグイン式の分岐ブレーカと同一幅寸法（すなわち１　６ｍｍ　〜２０ｍｍ）の器体内にサージ吸収素子やヒューズ等を配設したプラグイン式の分電盤用避雷器を検討したが、プラグイン式の分岐ブレーカの幅寸法と同一寸法ではサージ吸収素子やヒューズを電圧極にのみしか配設することができず、十分な雷サージ保護ができないという問題がある。
【０００６】
本発明は、かかる事由に鑑みて成されたものであり、その目的とするところは、プラグイン式の分岐ブレーカを１つのみ外して配設することができ、かつ、雷サージ保護が十分に行える分電盤用避雷器を提供することにある。
【０００７】
【課題を解決するための手段】
請求項１記載の分電盤用避雷器は、導電バーに差込接続されるプラグイン式の分岐ブレーカに対して前記導電バーの延出方向で前記分岐ブレーカに横並びに配設される分電盤用避雷器であって、
前記分岐ブレーカの幅寸法よりも大きい幅寸法に形成された器体と、この器体の幅方向における一端からの寸法が前記分岐ブレーカの幅寸法に対応する幅寸法対応位置までに配設されて前記導電バーに差込接続される受刃と、を備えたことを特徴とするものである。
【０００８】
請求項１記載の分電盤用避雷器によれば、器体の幅方向における一端からの寸法が分岐ブレーカの幅寸法に対応する幅寸法対応位置までに導電バーに差込接続される受刃を配設しているので、器体の幅方向における一端から幅寸法対応位置までの部分を分電盤における最外側のプラグイン式の分岐ブレーカの位置に配設することができ、もって分岐ブレーカを１つのみ外して配設することができる。また、器体の幅寸法が分岐ブレーカの幅寸法よりも大きいので、各極にサージ吸収素子やヒューズを配設することができ、もって雷サージ保護が十分に行える。
【０００９】
請求項２記載の分電盤用避雷器は、請求項１において、前記器体の幅方向における一端から幅寸法対応位置までの上面に、前記分岐ブレーカのハンドル凸部とともに分電盤カバーに形成された窓孔に臨む突出部を設け、前記器体の他端から幅寸法対応位置までの上面を前記突出部よりも下段としたものである。
【００１０】
請求項２記載の分電盤用避雷器によれば、請求項１と同様な効果のほか、突出部を器体の幅方向における一端から幅寸法対応位置までの上面に形成し、器体の他端から幅寸法対応位置までの上面を突出部よりも下段としているので、器体の幅方向における一端から幅寸法対応位置までの部分を分電盤における最外側の分岐ブレーカ配設位置に配設すると、分電盤カバーの窓孔に突出部が臨むとともに、器体の幅方向における他端から幅寸法対応位置までの部分が分電盤カバーの内側に臨むこととなるので、わざわざ分電盤カバーの窓孔を広くする必要がなくなる。
【００１１】
請求項３記載の分電盤用避雷器は、請求項１または請求項２において、前記導電バーはその延出方向の少なくとも一方側に接続用螺子を有するものであり、前記器体の幅方向における他端から前記幅寸法対応位置までの前記導電バー差込先端側の部分を、前記受刃が前記導電バーに差込接続された状態で前記接続用螺子を避ける形で凹ましたものである。
【００１２】
請求項３記載の分電盤用避雷器によれば、請求項１または請求項２と同様な効果のほか、器体の幅方向における他端から幅寸法対応位置までの導電バー差込先端側の部分を、受刃が導電バーに差込接続された状態で接続用螺子を避ける形で凹ましているので、受刃を収納した器体部分を分電盤における最外側の分岐ブレーカ配設位置に配設する場合、器体の残りの部分が接続用螺子に当って受刃に導電バーが差込接続されなくなるのを防止することができる。このため、導電バーの接続用螺子を避雷器の幅方向から離した位置に配設する必要がないので、導電バーの長さを長くする必要がなく分電盤の小型化が図れる。
【００１３】
【発明の実施の形態】
この発明の第１の実施の形態を図１から図８により説明する。すなわち、この分電盤用避雷器は、導電バー２０ａ〜２０ｃに差込接続されるプラグイン式の分岐ブレーカ１５に対して導電バー２０ａ〜２０ｃの延出方向で分岐ブレーカ１５に横並びに配設されるものである。
【００１４】
分電盤は、図２に示すように箱体１１内に内器を収納し、図３に示すように分電盤用カバー１２で被覆している。内器はほぼ中央に主幹ブレーカ１４を配設し、主幹ブレーカ１４の左側にリミッタ部１６を配設し、主幹ブレーカ１４の右側に多数の分岐ブレーカ１５を配設している。１４ａは主幹ブレーカ１４のハンドル、１７は箱体１１に形成した電線挿通用ノックアウト孔である。
【００１５】
図２において主幹ブレーカ１４の下側の出力端子（負荷側）にはそれぞれ導電体の一端部が接続され他端部が主幹ブレーカ１４の側部に位置しており、これらの導電体を導電体カバー１８で被覆している。導電体の他端部には導電バーの一端部が螺子５で接続されている。導電バー２０ａ〜２０ｃは水平方向すなわち主幹ブレーカ１４の側面に垂直な方向に延出し、その両側に沿って分岐ブレーカ１５の多数が横並びに並んでいる。分電盤用避雷器３６は導電バー２０ａ〜２０ｃの両側の一方で主幹ブレーカ１４の最も近くに配置される分岐ブレーカの位置に配置されている。
【００１６】
導電バー２０ａ〜２０ｃ、分岐ブレーカ１５および分電盤用避雷器３６の取付けについて説明する。図５に示すように箱体１１の内底部に一対のフレーム２１が水平姿勢で上下に配置され、フレーム２１間に金属製の基板２２が配置され、基板２２の両側よりフレーム２１上に段曲げされた側部２３が係載し、側部２３がフレーム２１にねじ２４により取付けられている。基板２２には合成樹脂製の基台２５が取付けられ、側部２３には取付台２６がその係止爪２７を側部２３の引掛孔２８に係止して取付けられる。基台２５の左右端部の中央には柱部２９が立設され、柱部２９間に中央仕切り部を立設している。柱部２９の両側に一対の導電バー２０ａ、２０ｂが配置され、基台２５に螺子５、３０により固定され、柱部２９の上端間に導電バー２０ｃの両端がねじ５、３０により固定されている。導電バー２０ａ〜２０ｃの一端の螺子５は上記したように主幹ブレーカ１４の導電体の端部と接続されている。
【００１７】
基台２５は導電バー２０ａ、２０ｂの互いに反対側の側縁に沿うように位置決め部３１を列設して中央仕切り部に対して導電バー２０ａ、２０ｂを位置決めしている。各導電バー２０ａ、２０ｂの中央仕切り部側となる隣接側端部に沿って一対の分岐接続部３２ａ、３２ｂを、分岐ブレーカ１５および分電盤用避雷器３６の下二段の受刃４１の高さに合うように互いに高さおよび向きを異ならせてブレーカ設置数設けている。すなわち下段側の分岐接続部３２ａは中央仕切り部から離れるように手前側に折返し、上段側の分岐接続部３２ｂは中央仕切り部を乗り越えるように対向側の導電バーに向けている。導電バー２０ｃは分岐ブレーカ１５および分電盤用避雷器３６の最上段の受刃４１が差し込まれるが、中央部に複数の取付孔３７を形成している。
【００１８】
一対の取付台２６は互いに反対側の側部に逆Ｌ字形の係止爪３２を外向きに突設し、対向側に近い位置に分岐ブレーカの位置決め片３３を突設している。
【００１９】
弾性係止片３８は下面に複数の突起（図示せず）を有し、導電バー２０ｃに設けた複数の孔３７に圧入固定される。弾性係止片３８は合成樹脂等の弾性材料により形成され、その本体の両側に分岐ブレーカ数のＴ字形の係止部３９を設け、その脚部３９ａの中間部を本体に弾性支持し、本体の側部から外向きに突出した一対の肩部３９ｂが分岐ブレーカ１５および分電盤用避雷器３６に設けた係止爪３４に弾性係止するように構成している。
【００２０】
各分岐ブレーカ１５は、図６および図７に示すように前端部に上下３段の横溝４０を形成し、横溝４０内に電源側端子となる受刃４１を設けている。受刃４１は前端部の上面に露出した切り替え釦４２で一対の横溝４０内の受刃４１をいずれか一方に切り替えられるように構成している。各分岐ブレーカ１５の後端部には負荷側端子５２を有し、上面にハンドル１５ａを有し、分岐ブレーカ１５の前端部の上面の切り替え釦４２の両側に係止爪３４を設けている。また各分岐ブレーカ１５の底面および側面にまたがって係止爪３２を挿入させる凹部４５を形成し、凹部４５内に係止爪３２に引っ掛ける引掛部４４を設けている。各分岐ブレーカ１５の取付けは、まず分岐ブレーカ１５の前端部を導電バー２０ａ〜２０ｃに接近し、前端部の最上端の横溝４０に導電バー２０ｃの縁部を挿入し、中段の横溝４０に高い方の分岐接続部３２ｂの端部を挿入し、下段の横溝４０に低い方の分岐接続部３２ａの端部を挿入し、横溝４０内に位置している受刃に差込む。同時に係止爪３４を弾性係止片３８の両肩部３９ｂを下側から押し上げて挿入し、係止爪３４に肩部３９ｂを弾性係止する。取付台２６の係止爪３２を分岐ブレーカ１５の底面の凹部４５内に嵌込み、係止爪３２に引掛部４４を引っ掛ける。分岐ブレーカ１５の側面は位置決め片３３に位置決めされ、これらによって分岐ブレーカ１５が固定状態となる。分岐ブレーカ１５を外すときは、弾性係止片３８の本体の中央側に位置する係止部３９の脚部３９ａの後端を治具等で押下げて肩部３９ｂを係止爪３４から外し、分岐ブレーカ１５を後方に引くと引掛部４４が引掛爪３２から外れ、分岐接続部３２ａ、３２ｂおよび導電バー２０ｃから受刃４１が外れる。
【００２１】
分岐ブレーカ１５は導電バー２０ａ〜２０ｃに沿って横並びに上記のように設置されるが、図２に示すように、導電バー２０ａ〜２０ｃの下側に並ぶ分岐ブレーカ１５のうち、主幹ブレーカ１４に最も近く位置するものに代えて、後述の分電盤用避雷器３６が分岐ブレーカ１５と同じ要領で取付けられる。
【００２２】
箱体１１には図３に示すように分電盤カバー１２が取付けられ、分電盤カバー１２はリミッタ１６ａ、主幹ブレーカ１４のハンドル１４ａおよび分岐ブレーカ１５のハンドル１５ａを露出する窓孔１３を形成している。分電盤カバー１２により弾性係止片３８が被覆されるので、分電盤カバー１２を開かない限り、不用意に弾性係止片３８が押されることがなく、分岐ブレーカ１５等が外されることがない。
【００２３】
図１は分電盤用避雷器の外観斜視図を示している。この分電盤用避雷器３６は、分岐ブレーカ１５の幅寸法ａよりも大きい幅寸法Ａに形成された器体１と、この器体１の幅方向における一端からの寸法Ｂが分岐ブレーカ１５の幅寸法ａに対応する幅寸法対応位置までに配設されて導電バー２０ａ〜２０ｃに差込接続される受刃２とを備えている。導電バー２０ａ〜２０ｃは上記のように上下方向三段に配設されており、これに対応して横溝５７が３段形成され、各横溝５７に受刃２が設けられている。寸法Ｂと寸法ａはほぼ等しくして設定している。
【００２４】
器体１の幅方向における一端から幅寸法対応位置までの上面に、分岐ブレーカ１５のハンドル１５ａのあるハンドル凸部とともに分電盤カバー１２に形成された窓孔１３に臨む突出部３を設け、器体１の他端から幅寸法対応位置までの上面４を突出部３よりも下段とし、分電盤カバー１２の内側に位置している。導電バー２０ａ〜２０ｃは上記したようにその延出方向の少なくとも一方側に接続用螺子５を有するものであり、器体１の幅方向における他端から幅寸法対応位置までの導電バー差込先端側の部分６を、受刃２が導電バーに差込接続された状態で接続用螺子５を避ける形で凹ませる切欠状に形成している。７は器体１の取付けのための凹部であり、凹部７の内側面に引掛部４４に対応する引掛部８を設けている。器体１は分割ライン９で二分割されており、分割状態で内部部品を組込み、ねじ１０で二分割片を連結している。また位置決め片３３に係合するため上面４に対応する下面５０を位置決め片３３の高さ程度底上げし、器体１の一端から幅寸法対応位置までの幅の側面を形成し、位置決め片３３の位置決めを可能にしている。横溝５７のある前端部の上面には分岐ブレーカ１５と同構成の一対の係止爪３４を設けている。突出部３の上面には後述の発光ダイオードＬＥＤ１、ＬＥＤ２を露出している。
【００２５】
分電盤用避雷器の内部構成を図８の回路図により説明する。Ｌ１、Ｌ２、Ｎは入力端子の受刃、Ｆ１〜Ｆ３はヒューズ、Ｅはアース線、ＺＮＲ１〜ＺＮＲ５はサージ吸収素子、ＧＡはギャップである。ＬＥＤ１、ＬＥＤ２は発光素子、Ｒ１、Ｒ２は抵抗、Ｄ１、Ｄ２はダイオードである。
【００２６】
受刃Ｌ１、Ｌ２、Ｎを通して導電バーにヒューズＦ１〜Ｆ３とサージ吸収素子ＺＮＲ３〜ＺＮＲ５とギャップＧＡが直列に接続され、受刃Ｌ１、Ｌ２が接続される電圧極と受刃Ｎが接続される中性極との間でヒューズＦ１〜Ｆ３間に図のようにサージ吸収素子ＺＮＲ１、ＺＮＲ２と発光素子ＬＥＤ１、ＬＥＤ２とを接続している。雷サージが侵入していない通常の状態では、ヒューズＦ２→発光素子ＬＥＤ１、ＬＥＤ２→ヒューズＦ１、Ｆ３の順路で発光素子ＬＥＤ１、ＬＥＤ２が通電されて点灯する。雷サージが侵入すると、ヒューズＦ１（Ｆ２、Ｆ３）→サージ吸収素子ＺＮＲ３（ＺＮＲ４、ＺＮＲ５）→ギャップＧＡという順路で放電される。すなわち、各極間のサージをサージ吸収素子ＺＮＲ１、ＺＮＲ２で吸収し、ギャップＧＡによる放電をサージ吸収素子ＺＮＲ３〜ＺＮＲ５で停止するようにしている。
【００２７】
この実施の形態の分電盤用避雷器によれば、器体１の幅方向における一端からの寸法Ｂが分岐ブレーカ１５の幅寸法ａに対応する幅寸法対応位置までに導電バー２０ａ〜２０ｃに差込接続される受刃２を配設しているので、器体１の幅方向における一端から幅寸法対応位置までの部分を分電盤における最外側のプラグイン式の分岐ブレーカ１５の位置に配設することができ、もって分岐ブレーカ１５を１つのみ外して配設することができる。また、器体１の幅寸法Ａが分岐ブレーカ１５の幅寸法ａよりも大きいので、各極にサージ吸収素子やヒューズを配設することができ、もって雷サージ保護が十分に行える。
【００２８】
また、突出部３を器体１の幅方向における一端から幅寸法対応位置までの上面に形成し、器体１の他端から幅寸法対応位置までの上面４を突出部３よりも下段としているので、器体１の幅方向における一端から幅寸法対応位置までの部分を分電盤における最外側の分岐ブレーカ配設位置に配設すると、分電盤カバー１２の窓孔１３に突出部３が臨むとともに、器体１の幅方向における他端から幅寸法対応位置までの部分が分電盤カバー１２の内側に臨むこととなるので、わざわざ分電盤カバー１２の窓孔１３を広くする必要がなくなる。
【００２９】
器体１の幅方向における他端から幅寸法対応位置までの導電バー差込先端側の部分６を、受刃２が導電バー２０ａ〜２０ｃに差込接続された状態で接続用螺子５を避ける形で凹ましているので、受刃２を収納した器体部分を分電盤における最外側の分岐ブレーカ配設位置に配設する場合、器体１の残りの部分が接続用螺子５に当って受刃２に導電バー２０ａ〜２０ｃが差込接続されなくなるのを防止することができる。このため、導電バー２０ａ〜２０ｃの接続用螺子５を避雷器３の幅方向から離した位置に配設する必要がないので、導電バー２０ａ〜２０ｃの長さを長くする必要がなく分電盤の小型化が図れる。
【００３０】
なお、この分電盤用避雷器は、導電バー２０ａ〜２０ｃの両側の一方で主幹ブレーカ１４に最も近い位置に配置したが、導電バー２０ａ〜２０ｃの他方で主幹ブレーカ１４から最も遠い位置に配置してもよい。
【００３１】
この発明の第２の実施の形態を図９から図１４により説明する。第１の実施の形態では分電盤用避雷器３６を導電バー２０ａ〜２０ｃの両側の一方で主幹ブレーカ１４に最も近い位置に配置したのに対して、第２の実施の形態では導電バー２０ａ〜２０ｃの他方で主幹ブレーカ１４に最も近い位置に配置したものである。このため、外形とくに受刃２および突出部３の位置および凹みの位置がほぼ左右対称な形状になっている。その他は第１の実施の形態と同様な構成であり、かつ同様な作用効果がある。
【００３２】
また、この分電盤用避雷器を導電バーの両側の他方で主幹ブレーカに最も近い位置に配置したが、導電バーの一方で主幹ブレーカから最も遠い位置に配置してもよい。
【００３３】
なお、各実施の形態において、係止爪３２が挿入される凹部７、４５および係止爪３２が引っ掛かる引掛部８、４４は分岐ブレーカ１５および避雷器３６にそれぞれ１個ずつまたは一対ずつ設けることができる。
【００３４】
【発明の効果】
請求項１記載の分電盤用避雷器によれば、器体の幅方向における一端からの寸法が分岐ブレーカの幅寸法に対応する幅寸法対応位置までに導電バーに差込接続される受刃を配設しているので、器体の幅方向における一端から幅寸法対応位置までの部分を分電盤における最外側のプラグイン式の分岐ブレーカの位置に配設することができ、もって分岐ブレーカを１つのみ外して配設することができる。また、器体の幅寸法が分岐ブレーカの幅寸法よりも大きいので、各極にサージ吸収素子やヒューズを配設することができ、もって雷サージ保護が十分に行える。
【００３５】
請求項２記載の分電盤用避雷器によれば、請求項１と同様な効果のほか、突出部を器体の幅方向における一端から幅寸法対応位置までの上面に形成し、器体の他端から幅寸法対応位置までの上面を突出部よりも下段としているので、器体の幅方向における一端から幅寸法対応位置までの部分を分電盤における最外側の分岐ブレーカ配設位置に配設すると、分電盤カバーの窓孔に突出部が臨むとともに、器体の幅方向における他端から幅寸法対応位置までの部分が分電盤カバーの内側に臨むこととなるので、わざわざ分電盤カバーの窓孔を広くする必要がなくなる。
【００３６】
請求項３記載の分電盤用避雷器によれば、請求項１または請求項２と同様な効果のほか、器体の幅方向における他端から幅寸法対応位置までの導電バー差込先端側の部分を、受刃が導電バーに差込接続された状態で接続用螺子を避ける形で凹ましているので、受刃を収納した器体部分を分電盤における最外側の分岐ブレーカ配設位置に配設する場合、器体の残りの部分が接続用螺子に当って受刃に導電バーが差込接続されなくなるのを防止することができる。このため、導電バーの接続用螺子を避雷器の幅方向から離した位置に配設する必要がないので、導電バーの長さを長くする必要がなく分電盤の小型化が図れる。
【図面の簡単な説明】
【図１】この発明の第１の実施の形態の分電盤用避雷器の斜視図である。
【図２】分電盤の分電盤用カバーを外した状態の正面図である。
【図３】分電盤用カバーを装着した状態の正面図である。
【図４】分岐ブレーカ設置箇所の部分拡大図である。
【図５】導電バーの取付けおよび分岐ブレーカの取付台を示す分解斜視図である。
【図６】分電盤用避雷器の取付状態の部分断面図である。
【図７】分岐ブレーカの設置状態および分電盤用避雷器の設置前の状態を示す部分拡大斜視図である。
【図８】分電盤用避雷器の回路図である。
【図９】第２の実施の形態の分電盤用カバーを外した状態の正面図である。
【図１０】分電盤用カバーを装着した状態の正面図である。
【図１１】分岐ブレーカ設置箇所の部分拡大図である。
【図１２】分電盤用避雷器の取付状態の部分断面図である。
【図１３】取付台、分岐ブレーカおよび分電盤用避雷器を示す取付前の斜視図である。
【図１４】分電盤用避雷器の底面側からみた斜視図である。
【符号の説明】
１　　器体
２　　受刃
３　　突出部
４　　上面
５　　接続用螺子
６　　凹み部分
７　　凹部
８　　引掛部
９　　分割ライン
１２　　分電盤カバー
１３　　窓孔
１５　　分岐ブレーカ
１５ａ　　ハンドル
２０ａ〜２０ｃ　導電バー
３３　　位置決め片
３４　　係止爪
３６　　分電盤用避雷器
５７　　横溝
Ａ　　幅寸法
Ｂ　　幅寸法
ａ　　幅寸法
【図１】
2004023888.tif 000003
【図２】
2004023888.tif 000004
【図３】
2004023888.tif 000005
【図４】
2004023888.tif 000006
【図５】
2004023888.tif 000007
【図６】
2004023888.tif 000008
【図７】
2004023888.tif 000009
【図８】
2004023888.tif 000010
【図９】
2004023888.tif 000011
【図１０】
2004023888.tif 000012
【図１１】
2004023888.tif 000013
【図１２】
2004023888.tif 000014
【図１３】
2004023888.tif 000015
【図１４】
2004023888.tif 000016